(57)【要約】【課題】現金による入金及びギフトによる入金を容易に行うことのできる電子マネー入金機を提供する。【解決手段】ＩＣカード２００から利用者ＩＤ及び電子マネー残高を受信するリーダライタ１１０と、電子マネーに交換可能であって所定のサービス提供者から所定のＩＣカード２００に与えられるギフトデータを記憶するギフト管理サーバ５００にネットワーク３００を介して通信する通信装置１５０と、ＩＣカード２００から利用者ＩＤ及び電子マネー残高を受信したときに、ギフト管理サーバ５００に記憶されているギフトデータを利用者ＩＤに基づいて取得し、ギフトデータの取得結果に基づいて現金による入金及びギフトによる入金のうち少なくとも一方を選択可能にする制御部１６０とを備え、電子マネー残高に加算される電子マネーをＩＣカード２００に送信する。【選択図】図３
2007241480.tif 000002
【特許請求の範囲】
【請求項１】
自己の識別情報及び電子マネー残高を記憶するＩＣチップに電子マネーを入金する電子マネー入金機において、
ＩＣチップから識別情報及び電子マネー残高を受信する受信手段と、
電子マネーに交換可能であって所定のサービス提供者から所定のＩＣチップに与えられるギフト情報を記憶するギフト管理サーバにネットワークを介して通信する通信手段と、
受信手段によって受信した電子マネー残高に、投入された現金に相当する電子マネーを加算する現金加算手段と、
受信手段によって受信した電子マネー残高にギフト情報に相当する電子マネーを加算するギフト加算手段と、
受信手段によってＩＣチップから識別情報及び電子マネー残高を受信したときに、ギフト管理サーバに記憶されているギフト情報を識別情報に基づいて通信手段により取得し、電子マネー残高及びギフト情報の取得結果に基づいて現金加算手段及びギフト加算手段のうち少なくとも一方を選択可能にする制御部と、
現金加算手段又はギフト加算手段によって電子マネー残高に加算される電子マネーをＩＣチップに送信する送信手段とを備えた
ことを特徴とする電子マネー入金機。
【請求項２】
前記制御部を、電子マネー残高及びギフト情報の取得結果と予め設定された優先順位とに基づいて現金加算手段及びギフト加算手段加算のうち何れか一方を選択可能にするように構成した
ことを特徴とする請求項１に記載の電子マネー入金機。
【発明の詳細な説明】
【技術分野】
【０００１】
本発明は、例えば電子乗車券や電子決済等に用いられる電子マネー残高を記憶するＩＣチップに対して、投入された現金に相当する電子マネーを電子マネー残高に加算する電子マネー入金機に関するものである。
【背景技術】
【０００２】
従来、この種の電子マネー入金機として、ＩＣチップが埋設されたＩＣチップカードに対して、投入された紙幣に対応する電子マネーをＩＣカードリーダ・ライタを介して電子マネー残高に加算するとともに、ＩＣカードの識別情報と投入金額又は電子マネー残高とを含む入金情報を記憶部に記憶して、無線通信等のネットワークを介して所定の入金管理サーバに入金情報を送信するようにしたものが知られている（例えば特許文献１参照）。
【特許文献１】特開２００３−３６６４６６号公報
【発明の開示】
【発明が解決しようとする課題】
【０００３】
近年、所定のサービス提供者が所定のＩＣチップの利用者に電子マネーに交換可能なギフトを与えるサービスを開始しており、サービス提供者によって与えられるギフトの情報を記憶しているギフト管理サーバにネットワークを介して接続し、当該ギフトに相当する電子マネーをＩＣカードリーダ・ライタを介してＩＣチップに記憶された電子マネー残高に加算するようになっている。
【０００４】
しかしながら、従来のものでは、最初に利用者が現金による電子マネー残高への加算（以下、入金という）を行うか、ギフトによる入金を行うかを選択した上で、ギフトによる入金が選択されたときに、ギフト管理サーバに接続して当該ＩＣチップに贈与されたギフトを取得し、表示部に当該ギフトを表示しているので、当該ＩＣチップに贈与されたギフトがない場合や、ギフトによる入金を行うことにより入金限度額や電子マネー残高の上限額を超える場合に、現金による入金を選択し直す必要があり、手続が煩雑であるという問題点があった。
【０００５】
本発明は前記問題点に鑑みてなされたものであり、その目的とするところは、現金による入金及びギフトによる入金を容易に行うことのできる電子マネー入金機を提供することにある。
【課題を解決するための手段】
【０００６】
本発明は前記目的を達成するために、自己の識別情報及び電子マネー残高を記憶するＩＣチップに電子マネーを入金する電子マネー入金機において、ＩＣチップから識別情報及び電子マネー残高を受信する受信手段と、電子マネーに交換可能であって所定のサービス提供者から所定のＩＣチップに与えられるギフト情報を記憶するギフト管理サーバにネットワークを介して通信する通信手段と、受信手段によって受信した電子マネー残高に、投入された現金に相当する電子マネーを加算する現金加算手段と、受信手段によって受信した電子マネー残高にギフト情報に相当する電子マネーを加算するギフト加算手段と、受信手段によってＩＣチップから識別情報及び電子マネー残高を受信したときに、ギフト管理サーバに記憶されているギフト情報を識別情報に基づいて通信手段により取得し、ギフト情報の取得結果に基づいて現金加算手段及びギフト加算手段のうち少なくとも一方を選択可能にする制御部と、現金加算手段又はギフト加算手段によって電子マネー残高に加算される電子マネーをＩＣチップに送信する送信手段とを備えた電子マネー入金機を提案する。
【０００７】
この電子マネー入金機によれば、ＩＣチップから識別情報及び電子マネー残高を受信したときに、ギフト管理サーバに記憶されているギフト情報が識別情報に基づいて取得され、ギフト情報の取得結果に基づいて現金加算手段及びギフト加算手段のうち少なくとも一方が選択可能となるので、利用者が現金による入金又はギフト情報による入金を選択する前に、ギフト情報による入金の可否を知ることが可能となる。
【発明の効果】
【０００８】
本発明によれば、利用者が現金による入金又はギフト情報による入金を選択する前に、ギフト情報による入金の可否を知ることが可能となることから、従来のように利用者がギフト加算手段を選択したときに、ギフト情報がない場合やギフト加算手段によって入金限度額や電子マネー残高の上限額を超える場合を防止することができ、現金加算手段及びギフト加算手段のうち入金可能な手段を選択可能にすることにより、現金による入金及びギフト情報による入金を容易に行うことができる。
【発明を実施するための最良の形態】
【０００９】
図１乃至図８は本発明の第１の実施形態を示すもので、図１は電子マネー入金機の外観斜視図、図２はＩＣカードの機能構成図、図３は図１に示した電子マネー入金機の制御系構成を示すブロック図、図４は図３に示した入金管理サーバが記憶する入金データを説明する図、図５は図３に示したギフト管理サーバが記憶するギフトデータを説明する図、図６は電子マネー入金機の入金動作を示すフローチャート、図７は入金選択画面を示す図、図８は入金選択画面の他の実施例を示す図である。
【００１０】
図１に示すように、電子マネー入金機１００は、その前面の上部に、紙幣が投入される紙幣投入口１０１、硬貨が投入される硬貨投入口１０２、所定の情報を表示する表示部１３０、表示部１３０に表示された情報を選択するための選択ボタン１２１、選択された情報を決定するための決定ボタン１２２、前面を開口したカード載置部１０３、及びカード載置部１０３の下部に設けられたリーダライタ１１０とを備えている。
【００１１】
図２に示すように、カード載置部１０３に載置されるＩＣカード２００には、リーダライタ１１０との間で非接触で信号を送受信するコイル状のアンテナ（図示省略）及びアンテナに接続されたＩＣチップ２０１が埋設されている。
【００１２】
ＩＣチップ２０１には、ＩＣチップ内の回路を制御するＩＣカード制御部２１０及び各種情報を記憶するＩＣカード記憶部２２０とが設けられている。
【００１３】
ＩＣカード記憶部２２０は、ＩＣカード２００を用いたサービス毎に領域が区画されており、電子マネーサービス用領域２２１には、電子マネーサービスを識別するためのサービスＩＤ２２１ａ、サービスの利用者を識別するＩＣチップ２０１に固有の利用者ＩＤ２２１ｂ、及び現時点での電子マネーの残高を表す電子マネー残高２２１ｃが記憶されている。
【００１４】
図３に示すように、電子マネー入金機１００の内部に設けられた制御部１６０には、リーダライタ１１０、入力部１２０、表示部１３０、貨幣識別装置１４０、及び通信装置１５０が接続されている。
【００１５】
リーダライタ１１０は、カード載置部１０３に載置されたＩＣカード２００との間でコマンド及びデータの送受信を行うためのものであり、ＩＣカード２００との間で非接触で信号を送受信するアンテナ（図示省略）が設けられている。また、リーダライタ１１０は、ＩＣカード２００に対してコマンド及びデータの送受信を行うとともに、制御部１６０に対してコマンド及びデータの入出力を行うようになっている。
【００１６】
入力部１２０は、選択ボタン１２１及び決定ボタン１２２から構成されており、利用者によって選択され、決定される情報を制御部１６０に出力するようになっている。
【００１７】
表示部１３０は周知の液晶ディスプレイ等であり、制御部１６０から入力された所定の情報、例えばＩＣカード２００から受信した電子マネー残高２２１ｃや投紙幣投入口１０１及び硬貨投入口１０２に投入された投入金額等、を表示するようになっている。
【００１８】
貨幣識別装置１４０は、紙幣投入口１０１に投入された紙幣及び硬貨投入口１０２に投入された硬貨の正当性及び種類を識別するためのものであり、投入貨幣を正当であると識別したときに投入貨幣を受容するとともに、制御部１６０に入金額を出力するようになっている。
【００１９】
通信装置１５０は、ネットワーク３００を介して外部と接続するためのモデム等の通信機器であり、入金管理サーバ４００及びギフト管理サーバ５００とデータの送受信を行うようになっている。
【００２０】
制御部１６０は、電子マネー入金機１００の全体を制御するためのものであり、ＣＰＵ及びＲＡＭ、ＲＯＭ等のメモリを備えた周知のコンピュータから構成されている。また、制御部１６０は自己のメモリに格納されたデータ及びプログラムに基づいて、上記の各機器を制御するようになっている。なお、メモリの書き換え不可の領域には、後述する電子マネー入金機１００に固有の入金機ＩＤ、読取処理コマンド、入金処理コマンド等が格納されており、メモリは必要に応じてＥＥＰＲＯＭ等の書き換え可能な記憶素子等を備えるようにしてもよい。
【００２１】
入金管理サーバ４００は、ネットワーク３００を介して接続する複数の電子マネー入金機１００から送信された入金データを管理するためのサーバであり、図４に示すような、取引日付４０１ａ、入金機ＩＤ４０１ｂ、利用者ＩＤ４０１ｃ、入金額４０１ｄを含む複数の入金データ４０１を記憶している。
【００２２】
ギフト管理サーバ５００は、電子マネーに交換可能であって所定のサービス提供者から所定のＩＣチップ２０１に与えられるギフトデータを管理するためのサーバであり、図５に示すような、利用者ＩＤ５０１ａ、ギフト名称５０１ｂ、ギフト額５０１ｃ、有効期限５０１ｄ、使用フラグ５０１ｅを含む複数のギフトデータ５０１を記憶している。
【００２３】
電子マネー入金機１００は、電源が投入されると、図６に示す処理を実行するようになっている。
【００２４】
即ち、制御部１６０は、ＩＣカード２００をカード載置部１０３に載置するように案内するメッセージを表示部１３０に表示するとともに（Ｓ１１）、リーダライタ１１０を介して所定の応答要求信号を送信する（Ｓ１２）。そして制御部１６０は、リーダライタ１１０を介してＩＣカード２００から応答信号を受信するまでＳ１１〜Ｓ１３の処理を繰り返す（Ｓ１３）。なお、本実施形態では、応答信号としてＩＣカード２００固有のカードＩＤ（図示省略）を用いる。
【００２５】
利用者によってカード載置部１０３にＩＣカード２００が載置され、ＩＣカード２００のＩＣカード制御部２１０がリーダライタ１１０から受信した応答要求信号に対して応答信号を送信すると、制御部１６０は、リーダライタ１１０を介してＩＣカード２００から応答信号を受信し、ＩＣカード２００を検出する（Ｓ１４）。
【００２６】
次に制御部１６０は、ＩＣカード２００との間で利用者ＩＤ読取処理を行う（Ｓ１５）。
【００２７】
即ち、制御部１６０はリーダライタ１１０を介して読取処理コマンドを送信し、ＩＣカード制御部２１０は、受信した読取処理コマンドに対してＩＣカード記憶部２２０のサービスＩＤ２２１ａ、利用者ＩＤ２２１ｂ、及び電子マネー残高２２１ｃを送信する。そして制御部１６０は、リーダライタ１１０を介してこれらを受信する。
【００２８】
次に制御部１６０は、ギフト管理サーバ５００との間でギフトデータ取得処理を行う（Ｓ１６）。
【００２９】
即ち、制御部１６０は、Ｓ１５の処理においてＩＣカード２００から受信した利用者ＩＤ２２１ｂを通信装置１５０及びネットワーク３００を介してギフト管理サーバ５００に送信し、ギフト管理サーバ５００は、記憶する複数のギフトデータ５０１の中から送信された利用者ＩＤ２２１ｂと一致する利用者ＩＤ５０１ａを有するギフトデータ５０１を検索し、該当するギフトデータ５０１が存在すればギフトデータ５０１のギフト名称５０１ｂ、ギフト額５０１ｃ、有効期限５０１ｄを送信する。そして制御部１６０は、ネットワーク３００及び通信装置１５０を介してこれを受信する。
【００３０】
なお、該当するギフトデータ５０１が複数存在する場合、ギフト管理サーバ５００は該当する全てのギフトデータ５０１のギフト名称５０１ｂ、ギフト額５０１ｃ、有効期限５０１ｄを送信し、該当するギフトデータ５０１が存在しない場合、ギフト管理サーバ５００は利用者ＩＤ２２１ｂを返信する。また、該当するギフトデータ５０１が存在する場合であっても、使用フラグ５０１ｅが「済」のときには、該当するギフトデータ５０１が存在しないときと同様に、ギフト管理サーバ５００は利用者ＩＤ２２１ｂを返信する。
【００３１】
次に制御部１６０は、表示部１３０に入金選択画面１３１を表示する（Ｓ１７）。具体的には図７に示すように、Ｓ１５の処理においてＩＣカード２００から受信した電子マネー残高１３１ａと、現金による入金１３１ｂと、ギフトによる入金、即ちＳ１６の処理においてギフト管理サーバ５００から受信したギフトデータ５０１のギフト名称５０１ｂ、ギフト額５０１ｃ、及び有効期限５０１ｄを有する第１ギフト１３１ｃ並びに第２ギフト１３１ｄとを、表示部１３０に表示する。図において、白抜き文字で表された現金による入金１３１ｂ及び第１ギフト１３１ｃが選択可能になっており、第２ギフト１３１ｄは入金の結果、ＩＣカード２００の上限額（５００００円）を超えるため、入金選択画面１３１に表示されるが選択不能となっている。また、Ｓ１６のギフトデータ取得処理の結果、ギフト管理サーバ５００から利用者ＩＤ２２１ｂが返信された場合、図８に示すように、電子マネー残高１３１ａ及び現金による入金１３１ｂが表示され、現金による入金１３１ｂのみが選択可能となっている。これにより、利用者が現金による入金又はギフト情報による入金を選択する前に、ギフトによる入金の可否を知ることが可能となる。
【００３２】
次に制御部１６０は、利用者が選択ボタン１２１及び決定ボタン１２２を操作することにより、現金による入金１３１ｂが選択され、決定されたか否かを判定する（Ｓ１８）。
【００３３】
現金による入金１３１ｂが選択され、決定されると、制御部１６０は、表示部１３０に投入金額選択画面（図示省略）を表示し、利用者が選択ボタン１２１及び決定ボタン１２２を操作することにより選択され、決定されたた投入金額、例えば５００円、１０００円、３０００円等、の貨幣の投入を要求するメッセージを表示部１３０に表示する（Ｓ１９）。そして、投入金額に応じた貨幣が紙幣投入口１０１又は硬貨投入口１０２に投入されると、制御部１６０は、表示部１３０に表示した電子マネー残高に投入金額を加算するとともに、現金入金処理を行う（Ｓ２０）。
【００３４】
即ち、制御部１６０は、入金処理コマンドをリーダライタ１１０を介してＩＣカード２００に送信する。そして、ＩＣカード制御部２１０は、電子マネー入金機１００から入金処理コマンドを受信すると、入金処理コマンドとともに送信される投入金額を電子マネー残高２２１ｃに加算する。次に、ＩＣカード制御部２１０は、電子マネー残高２２１ｃの加算を完了した後に、加算処理の完了を示す応答信号を電子マネー入金機１００に送信する。そして、制御部１６０がリーダライタ１１０を介してこの応答信号を受信することにより、現金入金処理が完了する。
【００３５】
次に制御部１６０は、Ｓ１６の処理においてＩＣカード２００から受信した利用者ＩＤ２２１ｂと、Ｓ１９の処理において利用者によって選択され、投入された投入金額とに、取引日付及び自己の入金機ＩＤを付加した入金データ４０１を、通信装置１５０及びネットワーク３００を介して入金管理サーバ４００に送信し（Ｓ２１）、入金管理サーバ４００は入金データ４０１を受信して記憶する。
【００３６】
また、Ｓ１８の判定の結果、現金による入金１３１ｂが選択されていない場合、利用者が選択ボタン１２１及び決定ボタン１２２を操作することにより、制御部１６０はギフトによる入金が選択され、決定されたか否かを判定する（Ｓ２２）。
【００３７】
図７において第１ギフト１３１ｃが選択され、決定されると、制御部１６０は、表示部１３０に表示した電子マネー残高１３１ａにギフト額を加算するとともに、ギフト入金処理を行う（Ｓ２３）。
【００３８】
即ち、制御部１６０は、入金処理コマンドをリーダライタ１１０を介してＩＣカード２００に送信する。そして、ＩＣカード２００のＩＣカード制御部２１０は、電子マネー入金機１００から入金処理コマンドを受信すると、入金処理コマンドとともに送信されるギフト額を電子マネー残高２２１ｃに加算する。次に、ＩＣカード制御部２１０は、電子マネー残高２２１ｃの加算を完了した後に、加算処理の完了を示す応答信号を電子マネー入金機１００に送信する。そして、制御部１６０がリーダライタ１１０を介してこの応答信号を受信することにより、ギフト入金処理が完了する。
【００３９】
次に制御部１６０は、Ｓ１６の処理においてＩＣカード２００から受信した利用者ＩＤ２２１ｂと、利用者によって選択された第１ギフト１３１ｃとに、「済」が入力された使用フラグを付加したギフトデータ５０１を、通信装置１５０及びネットワーク３００を介してギフト管理サーバ５００に送信し（Ｓ２４）、ギフト管理サーバ５００は該当するギフトデータ５０１の使用フラグ５０１ｅを「済」に変更する。
【００４０】
なお、Ｓ２２の判定の結果、ギフトによる入金が選択され、決定されていない場合、制御部１６０は、現金による入金又はギフトによる入金が選択され、決定されるまで、Ｓ１８及びＳ２２の処理を繰り返す。
【００４１】
また、Ｓ２１の処理又はＳ２４の処理の後に、制御部１６０は、電子マネー入金機１００の電源が停止するまでＳ１１〜Ｓ２４の処理を繰り返す。
【００４２】
このように、本実施形態によれば、ＩＣカード２００から利用者ＩＤ２２１ｂ及び電子マネー残高２２１ｃを受信ときに、利用者ＩＤ２２１ｂに基づいてギフト管理サーバ５００からＩＣチップ２０１に贈与されたギフトデータ５０１を取得して、ギフトデータの取得結果に基づいて現金による入金及びギフトによる入金のうち少なくとも一方が選択可能となるので、利用者が現金による入金又はギフト情報による入金を選択する前に、ギフトによる入金の可否を知ることが可能となることから、従来のように利用者がギフトによる入金を選択したときに、ギフトデータ５０１がない場合やギフトによる入金によって入金限度額や電子マネー残高２２１ｃの上限額を超える場合を防止することができ、現金による入金及びギフトによる入金のうち入金可能な手段を選択可能にすることにより、現金による入金及びギフトによる入金を容易に行うことができる。
【００４３】
図９乃至図１１は本発明の第２の実施形態を示すもので、図９は電子マネー入金機の入金動作を示すフローチャート、図１０はギフト入金画面を示す図、図１１は現金選択画面を示す図である。
【００４４】
第２実施形態と第１実施形態との相違点は、ギフトデータ５０１の取得結果と予め設定された優先順位に基づいて、現金による入金及びギフトによる入金のうち何れか一方のみを選択可能にしたことである。なお、前述した第１実施形態と同一構成部分は同一符号をもって表し、その説明を省略する。
【００４５】
即ち、制御部１６０のメモリには現金による入金及びギフトによる入金の優先順が格納されており、本実施形態では、ギフトによる入金の優先順位を高く設定している。なお、ギフトによる入金の優先順位を高く設定する場合に限定されず、現金による入金の優先順位を高く設定してもよい。
【００４６】
電子マネー入金機１００は、電源が投入されると図９に示す処理を実行するようになっている。なお、Ｓ１１〜Ｓ１６の処理は第１実施形態と同様である。
【００４７】
Ｓ１６の処理の後に、制御部１６０は、Ｓ１６の処理においてギフト管理サーバ５００からネットワーク３００及び通信装置１５０を介してギフトデータ５０１を受信したか否かを判定する（Ｓ２５）。
【００４８】
ギフトデータ５０１を受信している場合には、制御部１６０は、優先順位の高いギフトによる入金を自動的に選択し、表示部１３０にギフト入金画面１３２を表示する（Ｓ２６）。具体的には図１０に示すように、Ｓ１５の処理においてＩＣカード２００から受信した電子マネー残高１３２ａと、ギフトによる入金、即ちＳ１６の処理においてギフト管理サーバ５００から受信したギフトデータ５０１のギフト名称５０１ｂ、ギフト額５０１ｃ、及び有効期限５０１ｄを有する第１ギフト１３２ｂ並びに第２ギフト１３２ｃとを、表示部１３０に表示する。図において、白抜き文字で表された第１ギフト１３２ｂ及び第２ギフト１３２ｃが選択可能になっている。
【００４９】
図において第１ギフト１３２ｂ又は第２ギフト１３２ｃが選択され、決定されると、制御部１６０は、表示部１３０に表示した電子マネー残高１３２ａに選択され、決定されたギフト額を加算するとともに、第１実施形態と同様に、ギフト入金処理Ｓ２３及びＳ２４の処理を行う。
【００５０】
Ｓ２５における判定の結果、ギフトデータ５０１を受信していない場合、即ちギフト管理サーバ５００から利用者ＩＤ２２１ｂが返信された場合には、制御部１６０は、現金による入金を自動的に選択し、表示部１３０に現金入金画面１３３を表示する（Ｓ２７）。具体的には図１１に示すように、Ｓ１５の処理においてＩＣカード２００から受信した電子マネー残高１３３ａと、現金による入金として第１投入金額１３３ｂ、第２投入金額１３３ｃ、及び第３投入金額１３３ｄとを、表示部１３０に表示する。図において、白抜き文字で表された第１投入金額１３３ｂ、第２投入金額１３３ｃ、及び第３投入金額１３３ｄが選択可能になっている。
【００５１】
図において第１投入金額１３３ｂ、第２投入金額１３３ｃ、又は第３投入金額１３３ｄが選択、決定され、決定された投入金額に応じた貨幣が紙幣投入口１０１又は硬貨投入口１０２に投入されると、制御部１６０は、表示部１３０に表示した電子マネー残高１３３ａに選択され、決定された投入金額を加算するとともに、第１実施形態と同様に、現金入金処理Ｓ２０及びＳ２１の処理を行う。
【００５２】
このように、本実施形態によれば、ギフト管理サーバ５００から取得するギフトデータ５０１の取得結果と、予め設定された優先順位とに基づいて現金による入金及びギフトによる入金のうち何れか一方が選択可能となるので、利用者が現金による入金又はギフト情報による入金を選択する前に、現金による入金又はギフトによる入金が自動的に選択されることから、第１実施形態と同様の効果を得ることができる。
【００５３】
なお、前述の各実施形態の構成又は動作を組み合わせたり或いは一部の構成部分を入れ替えたりしたりしてもよい。
【００５４】
また、本発明の構成及び動作は前述の実施形態のみに限定されるものではなく、本発明の要旨を逸脱しない範囲内において種々変更を加えてもよい。
【図面の簡単な説明】
【００５５】
【図１】電子マネー入金機の外観斜視図
【図２】ＩＣカードの機能構成図
【図３】図１に示した電子マネー入金機の制御系構成を示すブロック図
【図４】図３に示した入金管理サーバが記憶する入金データを説明する図
【図５】図３に示したギフト管理サーバが記憶するギフトデータを説明する図
【図６】電子マネー入金機の入金動作を示すフローチャート
【図７】入金選択画面を示す図
【図８】入金選択画面の他の実施例を示す図
【図９】電子マネー入金機の入金動作を示すフローチャート
【図１０】ギフト入金画面を示す図
【図１１】現金選択画面を示す図
【符号の説明】
【００５６】
１００…電子マネー入金機、１１０…リーダライタ、１５０…通信装置、１６０…制御部、２０１…ＩＣチップ、２２１ｂ…利用者ＩＤ、２２１ｃ…電子マネー残高、３００…ネットワーク、５００…ギフト管理サーバ、５０１…ギフトデータ。
【図１】
2007241480.tif 000003
【図２】
2007241480.tif 000004
【図３】
2007241480.tif 000005
【図４】
2007241480.tif 000006
【図５】
2007241480.tif 000007
【図６】
2007241480.tif 000008
【図７】
2007241480.tif 000009
【図８】
2007241480.tif 000010
【図９】
2007241480.tif 000011
【図１０】
2007241480.tif 000012
【図１１】
2007241480.tif 000013